(57)【要約】【課題】中栓の押し下げ操作を行なった際に振り出し容器を支える指の間でその振り出し容器が滑ったとしても、振り出し容器を操作する指にこの振り出し容器が掛かった状態となって手から離れないようにし、中栓を押し下げるときの滑り落ちを確実に防止する。【解決手段】押し込み口１４の上部に該押し込み口１４をまたぐアーチ形状体１５を一体に備えて、押し込み口１４に付勢状態にして位置した中栓４とアーチ形状体１５との間に指通し可能な指入れ空間２９を形成した。【選択図】    図１
2004175416.tif 000002
【特許請求の範囲】
【請求項１】
振り出し容器の上部に設ける振り出しキャップであって、振り出し容器の上面開口に取り付けられ、押し込み口と振り出し口とを備えるキャップ本体と、前記キャップ本体の内部に容器高さ方向に移動可能に配され、容器高さ方向での上方に向けて押し上げ手段により付勢状態にして前記押し込み口に押し下げ可能に位置する中栓とからなり、前記中栓は押し込み口に前記付勢状態で位置しているときに前記振り出し口に対応位置してこの振り出し口を閉じる閉鎖部を備え、前記中栓の押し下げにより前記閉鎖部が振り出し口から移動して振り出し口が開く構成とした振り出しキャップにおいて、
キャップ本体は、前記押し込み口の上部に該押し込み口をまたぐアーチ形状体を一体に備えて、押し込み口に付勢状態にして位置した中栓と前記アーチ形状体との間に指通し可能な指入れ空間が形成されていることを特徴とする振り出しキャップ。
【請求項２】
上記中栓の上記指入れ空間に臨む上面の中央に、指の乗せ置きが可能な指掛け凹部が設けられている請求項１に記載の振り出しキャップ。
【請求項３】
上記押し上げ手段は一端が上記キャップ本体に連結され他端の自由端が下方から上記中栓に突き当てられる可撓性部材からなり、中栓は押し上げ手段の自由端を受ける突き当て部を備え、前記突き当て部に向けて押し上げ手段の自由端を案内するガイドが、中栓に設けられている請求項１または２に記載の振り出しキャップ。
【請求項４】
上記押し込み口の端縁と上記アーチ形状体の空間側端縁とには面取り加工が施されている請求項１から３の何れか一項に記載の振り出しキャップ。
【発明の詳細な説明】
【０００１】
【発明の属する技術分野】
本発明は粒状のガム、キャンディー、粒チョコなどを収容した振り出し容器に設けて、収容物を一個ずつなどにして振り出すことができるようにした振り出しキャップに関するものである。
【０００２】
【従来の技術】
従来、粒状のガム、キャンディー、チョコレートなどのお菓子を収容する容器としては、収容しているお菓子が通ることのできる比較的小さな開口部分を開け閉めできるようにし、その開口部分を開いて容器全体を降ることで収容しているお菓子を振り出すようにしたものが多く提案されている。また、開口部分を中栓が通常の状態では閉じ、中栓を押し下げることでその開口部分が開くようにしたものも提供されている。
このような振り出し容器は振り出しキャップを有しているものであって、その振り出しキャップは、振り出し容器の上面開口に取り付けられるキャップ本体と、このキャップ本体の内部側に配置される中栓とからなり、前記キャップ本体は、押し込み口と振り出し口とを備え、また中栓にあっては、前記キャップ本体の内部で容器高さ方向に移動可能に配され、その前記押し込み口に押し下げ可能に位置していて、押し上げ手段によって、容器高さ方向での上方に向けて付勢状態にして押し込み口にこの中栓が押し下げ可能に位置するようにしていた。
そして中栓は、押し込み口に付勢状態で位置しているときに振り出し口に対応位置して振り出し口を閉じる閉鎖部を一体にして備え、押し込み口での中栓の押し下げにより前記閉鎖部を振り出し口から移動させて振り出し口を開く構成としていた（例えば、特許文献１参照）。
【０００３】
【特許文献１】
実公昭６０−２５４２２号公報（第１頁、第２頁、第１図〜第４図）
【０００４】
【発明が解決しょうとする課題】
ところで、内容物の振り出しに際しては片手操作で行われる場合が多く、例えば親指と中指などで挟み、キャップ本体の押し込み口に位置している中栓に人差し指を乗せ置き、その人差し指で中栓を押し下げ操作することで振り出し口を開くようにしており、中栓を押し下げるときに大きくなる反発力（押し上げ力）に抗しながらこの中栓を押し下げるためには、中栓を押し下げる指以外の指で振り出し容器自体をしっかりと保持する必要がある。
しかしながら、幼児や小児、そして握力の小さい人が振り出し容器を取り扱う場合、指先で振り出し容器を保持する力自体が弱く、これらの人が収容物を振り出し容器から振り出すために中栓を押し込もうとすると、挟み持つ指の間で振り出し容器が滑り、この振り出し容器を落とす可能性が高いという問題がある。
そこで、本発明は上記事情に鑑み、中栓の押し下げ操作を行なった際に振り出し容器を支える指の間でその振り出し容器が滑ったとしても、振り出し容器を操作する指にこの振り出し容器が掛かる状態となって手から離れないようにすることを課題とし、中栓を押し下げるときの滑り落ちを確実に防止することを目的とする。
【０００５】
【課題を解決するための手段】
本発明は上記課題を考慮してなされたもので、振り出し容器の上部に設ける振り出しキャップであって、振り出し容器の上面開口に取り付けられ、押し込み口と振り出し口とを備えるキャップ本体と、前記キャップ本体の内部に容器高さ方向に移動可能に配され、容器高さ方向での上方に向けて押し上げ手段により付勢状態にして前記押し込み口に押し下げ可能に位置する中栓とからなり、前記中栓は押し込み口に前記付勢状態で位置しているときに前記振り出し口に対応位置してこの振り出し口を閉じる閉鎖部を備え、前記中栓の押し下げにより前記閉鎖部が振り出し口から移動して振り出し口が開く構成とした振り出しキャップにおいて、キャップ本体は、前記押し込み口の上部に該押し込み口をまたぐアーチ形状体を一体に備えて、押し込み口に付勢状態にして位置した中栓と前記アーチ形状体との間に指通し可能な指入れ空間が形成されていることを特徴とする振り出しキャップを提供して、上記課題を解消するものである。
【０００６】
本発明は、上記中栓の上記指入れ空間に臨む上面の中央に、指の乗せ置きが可能な指掛け凹部が設けられているものとすることが可能である。また、押し上げ手段は一端が上記キャップ本体に連結され他端の自由端が下方から上記中栓に突き当てられる可撓性部材からなり、中栓は押し上げ手段の自由端を受ける突き当て部を備え、前記突き当て部に向けて押し上げ手段の自由端を案内するガイドが、中栓に設けられているものとすることが可能である。
さらに、本発明においては、上記押し込み口の端縁と上記アーチ形状体の空間側端縁とには面取り加工が施されていることが良好である。
【０００７】
【発明の実施の形態】
つぎに本発明を図１から図５に示す実施の形態に基づいて詳細に説明する。
図中１は振り出し容器の振り出しキャップであり、縦長にして水平断面での形状を略長方形とした収納空間内に粒ガムやキャンディー、粒チョコレートなどの粒菓子を収容することのできる容器本体の上面開口に、この振り出しキャップ１が着脱可能にして設けられているものである。
振り出しキャップ１は、容器本体の上面開口内に嵌め入れる垂れ壁状の連結部２を下部に備えて容器本体の上面開口に着脱可能にして取り付けられるキャップ本体３と、キャップ本体３の内部に配置された中栓４とからなるものである。
図示されているように前記キャップ本体３自体は容器本体の形状に対応するように縦に偏平にして頂部を丸くした形状を呈して下面を開放した空洞状のものであり、容器本体の上面開口の長辺部分に対応する前面板５と後面板６とが相対するとともに、容器本体の上面開口の短辺部分に対応する側面板７が、前記前面板５と後面板６との側辺に連続し、さらには、側面板７を上方に延長して丸みを持たせた天面板８が、前記前面板５と後面板６との円弧状の上辺に連続していて、前面板５と後面板６と側面板７とで囲んだ空所を、前記中栓４が容器高さ方向に移動できる空間としている。
また、一方の側面板５の下端にはセルフヒンジを介してキャップ本体３の内部に折り入れできる可撓性を備えた板状の押し上げ手段９が連結されている。なお、合成樹脂材料によりキャップ本体３とこの押し上げ手段９とが一体成形されている。
【０００８】
上記キャップ本体３では前面板５と後面板６とのそれぞれに窓１０が相対応する位置に開口していて、上端縁１１を容器高さ方向の上方に凸の円弧状としその上端縁１１に縦の側端縁１２が連続し、中央部分が容器高さ方向の上方に若干凸となる緩やかな円弧形状の下端縁１３に側端縁１２が連続している。このように空洞状としたキャップ本体３にあっては、前面板５と後面板６とのそれぞれに窓１０を開口することによって、窓１０の下端縁１３の高さ位置で外部に対して開かれている押し込み口１４が形成され、この押し込み口１４で表出できるようにして上記中栓４が位置している。
【０００９】
また、キャップ本体３では他方の側面板７の上部から天面板８を介して他方の側面板７までに亘る断面形状を円弧状とするとともに、上記窓１０の上端縁１１の位置を前面板５と後面板６とのそれぞれの上辺部分に近接させており、これによってキャップ本体３では、押し込み口１４の上部において、両側面板７の上部と天面板８と前後面板５、６の上辺部分とからアーチ形状体１５が一体に形成され、このアーチ形状体１５が押し込み口１４を跨ぐ形態にしている。
また、このキャップ本体３にあっては中栓４の上下移動によって開閉される振り出し口１６が一方の側面板７に開口されている。
【００１０】
キャップ本体３の内部に容器高さ方向で移動可能に配置される中栓４は下面を開放した空洞状のものとされ、前面板１７と後面板１８と側面板１９と天面板２０とからなり、前記天面板２０の中央部分に指掛け凹部２１が形成され、さらにこの指掛け凹部２１を間にする両端部２２それぞれが容器高さ方向の上方に向けて突出した状態に形成されていて、この中栓４は、例えば前面板１７側から見たときに耳を立てた動物の頭部部分を象っだ形状となるように設けられている。また、中栓４の一方の側面板１９の上部には透孔２３が開口し、この透孔２３の下部を閉鎖部２４としている。
そして、この中栓４がキャップ本体３の内部に配され、上記押し上げ手段９をヒンジの部分から折り込み、ヒンジとは反対側の自由端２５を中栓４の内側から当接させることで、この押し上げ手段９が撓んだ状態で中栓４を容器高さ方向の上方に向けて付勢し、キャップ本体３の天面板８の下面に突設した位置決め突起２６に中栓４の突出した端部２２それぞれが当接することによって、この中栓４が押し込み口１４に表出した状態で位置し、容器高さ方向の下方に向けて押し下げできるようにしている。押し上げ手段９の自由端２５は、中栓４の内部において下垂している突堤２７に支えられていて、中栓４を上げ下げしてもずれを生じることがなく、前記突堤２７の基端として設定された突き当て部２８に当接して中栓４を適正に付勢している。
【００１１】
このように振り出しキャップ１では中栓４が押し下げ可能にして上方に付勢された状態としているため、中栓４が位置決め突起２６に当接しているときには、上記閉鎖部２４が振り出し口１６に対応位置してこの振り出し口１６を閉じ、中栓４の押し下げにより閉鎖部２４が下がって透孔２３が振り出し口１６に対応位置すれば、収容物を振り出し口１６から排出させることができ、中栓４を押し下げる力から解放すれば中栓４が自動的に上昇して振り出し口１６が閉じるようになる。
【００１２】
また、振り出しキャップ１では上述したように押し込み口１４を跨ぐアーチ形状体１５を一体にして備え、このアーチ形状体１５と上位置で位置決めされている上記中栓４との間に指通しできる指入れ空間２９を形成している。これによって、前記指入れ空間２９に指を差し入れることでアーチ形状体１５がその指に斯かるようになり、振り出し容器を取り扱うに際して、指を通しておきさえすればその指に掛かる状態のまま振り出し容器全体を支えることができる。さらに中栓４にあっては天面板２０の中央部分に指掛け凹部２１が設けられているため、指を出し入れし易い円に近い縦端面形状の指入れ空間２９が形成されている。なお、指入れ空間２９が指通しできる広さであれば中栓４に前記指掛け凹部２１を設ける必要はなく、天面板２０を平坦にすることも可能である。
【００１３】
上記アーチ形状体１５を備えていることには指に振り出し容器を掛けることができる他につぎの大きな利点がある。即ち、中栓４を押し下げ操作するときには指入れ空間２９に指を差し入れることとなるが、幼児、小児、握力の弱い人などが振り出し容器を片手で持ちながらその手の指で中栓４を押し下げようとした際、支えている他の指の間から振り出し容器が滑りかけた場合でも、指入れ空間に入れている指にアーチ形状体１５が掛かることになって振り出し容器の滑り落ちが確実に防止されるようになる。
【００１４】
上記中栓４では指掛け凹部２１の両側で上方に突出した端部２２の内側も空洞状態となっている。そして、上記押し上げ手段９を撓ませながら中栓４の内部に差し入れる際に、誤って端部２２の内側にこの押し上げ手段９の自由端２５側が入り込んでしまい、上記突き当て部２８に自由端２５が当接しなくなる場合が考えられる。そこでこの実施の例にあっては、押し上げ手段９が位置している側の端部２２の内部に板状のガイド３０が設けられていて、ガイド３０によって押し上げ手段９の端部２２への入り込みを防止している。
また、このガイド３０はつぎの働きもする。まず、上記指掛け凹部２１においてその底面部分３１は容器高さ方向の上方に向けて若干凸となるように端部間方向で円弧状を呈する断面形状とされ、その底面部分３１の円弧形状に連続するようにガイド３０の下端の形状も円弧状としている。そのため、押し上げ手段９を中栓４の内部に入れるときに自由端２５がガイド３０に突き当たったとしても、底面部分３１の裏面に設定されている上記突き当て部２８に向けて自由端２５を案内するようになり、振り出しキャップ１の作成に際しての押し上げ手段９の折り入れ操作が簡単になる。
上記ガイド３０は端部２２への押し上げ手段９の自由端２５の入り込みを防止する役割りを兼ね備えているが、中栓４の天面板の形状において上方に突出する端部２２を備えない場合においても、突き当て部２８近傍に達する、或いは突き当て部２８に連続するガイドを設けることが良好であり、その場合、ガイド自体は上述の例のように板状である必要はなく、天面板２０の裏面の凹面や傾斜面などにてガイドを形成できる。
【００１５】
本実施の形態において上記指入れ空間２９に差し入れられる指とアーチ形状体１５との接触が多くなる。また、中栓を押し下げる場合にも押し込み口１４の周縁と接触する度合いが高い。そのためアーチ形状体１５の指入れ空間側端縁となる窓１０の上端縁１１や側端縁１２、そして押し込み口１４の周縁となる窓１０の下端縁１３、即ち、窓１０の全周縁は面取り加工が施されている。そして、窓１０の下端縁１３の形状も指掛け凹部２１の底面部分３１の円弧状の形状に対応させたものとしている。このようにして指入れ空間２９への指先の出し入れや中栓４の押し下げ操作で指が傷付かないようにしている。
【００１６】
【発明の効果】
以上説明した本発明により、幼児、小児、握力が小さい人が振り出し容器の指入れ空間に入れた指によって中栓を押し下げ操作したときに振り出し容器の滑りが生じたとしても、指入れ空間に差し入れた指にアーチ形状体が掛かって振り出し容器をその指に提げた状態にでき、振り出し容器の落下を確実に防止でき、振り出し容器の容器本体側に指掛かり部分などを設けるという商品形態を損なうデザインを採用する必要がないなど、実用性に優れた効果を奏するものである。
【図面の簡単な説明】
【図１】本発明に係る振り出しキャップの一例を示す説明図である。
【図２】一例におけるキャップ本体と中栓とを断面で示す説明図である。
【図３】中栓の押し下げを示す説明図である。
【図４】中栓を一部切り欠いて示す説明図である。
【図５】キャップ本体を縦断面で示す説明図である。
【符号の説明】
１…振り出しキャップ
３…キャップ本体
４…中栓
９…押し上げ手段
１０…窓
１４…押し込み口
１５…アーチ形状体
１６…振り出し口
２１…指掛け凹部
２７…突堤
２８…突き当て部
２９…指入れ空間
３０…ガイド
【図１】
2004175416.tif 000003
【図２】
2004175416.tif 000004
【図３】
2004175416.tif 000005
【図４】
2004175416.tif 000006
【図５】
2004175416.tif 000007